(57)【要約】【課題】光ディスクからのプライマリ映像にストリーミング映像であるセカンダリ映像を合成表示させ、これらの映像の早送り又は早戻しを行なう映像再生装置を提供する。【解決手段】  光ディスクから位置情報を伴う第１映像情報を読み出す読出部（１９）と、外部装置からネットワークを介し第２映像情報を第１映像情報に同期してダウンロードする通信部（１１）と、読出部が読み出した第１映像情報及び通信部がダウンロードした第２映像情報を復号する復号部（２３）と、第１映像情報に応じた画面中に第２映像情報を合成して出力し、この合成映像を出力中に早送り又は早戻し指示信号を受けると、第２映像情報のダウンロードを中断することなく第１映像情報の早送り又は早戻しが行なわれる位置情報に応じた第２映像情報の部分的なダウンロードを継続し、再び再生指示を受けると部分的なダウンロードでは不足している第２映像情報のダウンロードを行なう制御部（３０，４２）をもつ映像再生装置。【選択図】図１
2008278237.tif 000002
【特許請求の範囲】
【請求項１】
光ディスクから位置情報を伴う第１映像情報を読み出す読出部と、
外部装置からネットワークを介し第２映像情報をダウンロードする通信部と、
前記読出部が読み出した第１映像情報及び前記通信部がダウンロードした第２映像情報を復号する復号部と、
前記復号部が復号した第１映像情報に応じた映像に他の映像を合成する合成部と、
前記第１映像情報の再生中に受けた操作信号に応じて、前記光ディスク中に格納されたアドレス情報が示す前記外部装置に前記通信部によりアクセスして、前記第２映像情報を前記第１映像情報に同期してダウンロードし、前記復号部が復号した第１映像情報に応じた画面中に前記第２映像情報を前記合成部により合成して出力し、この合成映像を出力中に早送り又は早戻し指示信号を受けると、前記第２映像情報のダウンロードについて前記第１映像情報の早送り又は早戻しで不連続に再生される位置情報に応じた前記第２映像情報の部分的なダウンロードを繰り返し、再び前記第１映像情報の再生指示を受けると前記部分的にダウンロードした映像情報を除く再生を再開するのに不足している前記第２映像情報と前記第１映像情報の再生位置以降の前記第２映像情報のダウンロードを行い、前記第１映像情報の早送り又は早戻し中にダウンロードした前記部分的な第２映像情報と合わせた前記第２映像情報を前記合成部により前記第１映像情報の映像と合成して出力する制御部を具備することを特徴とする映像再生装置。
【請求項２】
前記制御部が前記第２映像情報のダウンロードを行なう際に利用する位置情報とは、前記第１映像情報に含まれるタイムコード情報であることを特徴とする請求項１記載の映像再生装置。
【請求項３】
前記制御部は、前記光ディスクに格納されたインターネット上のＷｅｂサイトのアドレスに従って前記通信部によりアクセスして前記第２映像情報をダウンロードすることを特徴とする請求項１記載の映像再生装置。
【請求項４】
前記制御部は、前記第１映像情報の早送り又は早戻しが行なわれる位置情報よりも所定量だけ先行した位置情報に応じた前記第２映像情報の部分的なダウンロードを行なうことを特徴とする請求項１記載の映像再生装置。
【請求項５】
前記制御部は、前記第１映像情報の早送り又は早戻しが行なわれる際に前記第１映像情報の内の全てではなく所定パーセント分の映像情報を再生する場合、同様に前記第２映像情報の前記所定パーセント分の映像情報をダウンロードすることを特徴とする請求項１記載の映像再生装置。
【請求項６】
前記制御部は、前記第１映像情報の早送り又は早戻しが行なわれる際に前記第１映像情報の早送り又は早戻し映像を再生して画面表示し、同時に、この前記第１映像情報の早送り又は早戻し映像に合成して、前記第２映像情報に応じた映像の早送り又は早戻し映像を再生することを特徴とする請求項１記載の映像再生装置。
【請求項７】
前記制御部は、前記第１映像情報の早送り又は早戻しが行なわれる際に先行してダウンロードすることで蓄積される前記部分的な第２映像情報の内、前記第１映像情報の早送り又は早戻しが継続して行なわれたことで不要になった情報を自動的に削除することを特徴とする請求項１記載の映像再生装置。
【請求項８】
光ディスクから位置情報を伴う第１映像情報を読み出して再生し、
前記第１映像情報の再生中に受けた操作信号に応じて、前記光ディスク中に格納されたアドレス情報が示す外部装置にネットワークを介してアクセスして前記位置情報に応じた第２映像情報を前記第１映像情報に同期してダウンロードし、
前記ダウンロードした第２映像情報を再生して第１映像情報に応じた映像と合成して出力し、
この合成映像を出力中に早送り又は早戻し指示信号を受けると、前記第２映像情報のダウンロードついて前記第１映像情報の早送り又は早戻しで不連続に再生される前記位置情報に応じた前記第２映像情報の部分的なダウンロードを繰り返し、
再び前記第１映像情報の再生指示を受けると前記部分的にダウンロードした映像情報を除く再生を再開するのに不足している前記第２映像情報と前記第１映像情報の再生位置以降の前記第２映像情報のダウンロードを行い、前記第１映像情報の早送り又は早戻し中にダウンロードした前記部分的な第２映像情報と合わせた前記第２映像情報を合成して出力することを特徴とする映像再生方法。
【請求項９】
映像再生装置の制御部にて使用されることで以下の動作を実行する映像再生プログラムであって、
光ディスクから位置情報を伴う第１映像情報を読み出して再生し、
前記第１映像情報の再生中に受けた操作信号に応じて、前記光ディスク中に格納されたアドレス情報が示す外部装置にアクセスして第２映像情報を前記第１映像情報に同期してダウンロードし、
前記ダウンロードした第２映像情報を再生して第１映像情報に応じた映像と合成して出力し、
この合成映像を出力中に早送り又は早戻し指示信号を受けると、前記第２映像情報のダウンロードについて前記第１映像情報の早送り又は早戻しで不連続に再生される位置情報に応じた前記第２映像情報の部分的なダウンロードを繰り替えし、
再び前記第１映像情報の再生指示を受けると前記部分的にダウンロードした映像情報を除く再生を再開するのに不足している前記第２映像情報と前記第１映像情報の再生位置以降の前記第２映像情報のダウンロードを行い、前記第１映像情報の早送り又は早戻し中にダウンロードした前記部分的な第２映像情報と合わせた前記第２映像情報を合成して出力することを実行することを特徴とする映像再生プログラム。
【請求項１０】
光ディスクからタイムコード情報を伴う第１映像情報を読み出す読出部と、
外部装置からネットワークを介し第２映像情報をダウンロードする通信部と、
前記読出部が読み出した第１映像情報及び前記通信部がダウンロードした第２映像情報を復号する復号部と、
前記復号部が復号した第１映像情報に応じた映像に他の映像を合成する合成部と、
前記第１映像情報の再生中に受けた操作信号に応じて、前記光ディスク中に格納されたアドレス情報が示す前記外部装置に前記通信部によりアクセスして、前記タイムコード情報に対応する前記第２映像情報を前記第１映像情報に同期してダウンロードし、前記復号部が復号した第１映像情報に応じた画面中に前記第２映像情報を前記合成部により合成して出力する制御部を具備することを特徴とする映像再生装置。
【発明の詳細な説明】
【技術分野】
【０００１】
この発明は、光ディスクの映像の再生画面の中に、外部からストリーミングした映像を合成して表示する映像再生装置及び映像再生方法に関する。
【背景技術】
【０００２】
最近、デジタル映像技術の普及に伴って、通信ネットワーク等を介してデジタル映像信号のストリーム再生の技術が多く知られている。すなわち、通信ネットワーク等を介して映像ストリームを再生の進行に併せてダウンロードしながら再生していく技術である。
【０００３】
特許文献１は、特別な早送り配信機能を備えるサーバを用いることなく、ストリーミング再生機能をもつ携帯通信端末装置上において、無理なく迅速な早送り再生を実現するための技術が開示されている。
【特許文献１】特開２００６−２８７８７５公報
【発明の開示】
【発明が解決しようとする課題】
【０００４】
しかし上記した特許文献１の従来技術では、携帯通信端末がこのストリームを再生したり早送りしたりする場合はこのストリームを単体として再生する技術である。従って、例えば、ＨＤ ＤＶＤ（High Definition Digital Versatile Disc）等の光ディスク上のストリームを再生する映像再生装置において、光ディスク上のストリームをプライマリ映像とし、光ディスク上のストリーム中に含まれるＷｅｂアドレスが示すサイトにアクセスしてここからストリーミング（ダウンロードしながら再生する）して得た映像をセカンダリ映像としたとき、プライマリ映像中にセカンダリ映像を合成表示する場合は考慮されていない。更に、特許文献１の従来技術では、このようなプライマリ映像とセカンダリ映像の同時再生において、早送り又は早戻しを実行した場合、どのように効率的なストリーミングを行なうかを示す記載がない。
【０００５】
この発明は、光ディスクからのプライマリ映像にストリーミング映像であるセカンダリ映像を合成表示させ、更に、これらの映像を早送り又は早戻しを行なう映像再生装置及び映像再生方法、映像再生プログラムを提供することを目的とする。
【課題を解決するための手段】
【０００６】
課題を解決するための一実施形態は、
光ディスクから位置情報を伴う第１映像情報を読み出す読出部（１９）と、
外部装置からネットワークを介し第２映像情報をダウンロードする通信部（１１）と、
前記読出部が読み出した第１映像情報及び前記通信部がダウンロードした第２映像情報を復号する復号部（２３）と、
前記復号部が復号した第１映像情報に応じた映像に他の映像を合成する合成部（３１）と、
前記第１映像情報の再生中に受けた操作信号に応じて、前記光ディスク中に格納されたアドレス情報が示す前記外部装置に前記通信部によりアクセスして、前記第２映像情報を前記第１映像情報に同期してダウンロードし、前記復号部が復号した第１映像情報に応じた画面中に前記第２映像情報を前記合成部により合成して出力し、この合成映像を出力中に早送り又は早戻し指示信号を受けると、前記第２映像情報のダウンロードを中断することなく前記第１映像情報の早送り又は早戻しが行なわれる位置情報に応じた前記第２映像情報の部分的なダウンロードを継続し、再び前記第１映像情報の再生指示を受けると前記部分的なダウンロードでは不足している前記第２映像情報と前記第１映像情報の再生位置に応じた前記第２映像情報のダウンロードを行い、前記第１映像情報の早送り又は早戻し中にダウンロードした前記部分的な第２映像情報と合わせた前記第２映像情報を前記合成部により前記第１映像情報に応じた映像と合成して出力する制御部（３０，４２）と、
を具備することを特徴とする映像再生装置である。
【発明の効果】
【０００７】
光ディスクからの映像にストリーム映像を合成表示させる場合に早送り等を行なう際、ストリーム映像のストリーミングを中断せずに先行して部分的にダウンロードしておくことで、早送り等から再生へと戻る際にストリーム映像を迅速に復帰させることができる。
【発明を実施するための最良の形態】
【０００８】
以下、この発明の実施の形態について図面を参照して詳細に説明する。
【０００９】
＜本発明の一実施形態に係る映像再生装置＞
以下、この発明の一実施形態である映像再生装置の例を図面を参照して詳細に説明するが、本発明の一実施形態である映像再生装置は、以下に説明する実施形態に限定されるものではなく、例えば、通信機能をもった光ディスク再生専用装置であることも好適である。図１は、本発明の一実施形態に係る映像再生装置の構成の一例を示すブロック図である。図２は、同じく映像再生装置により表示されるプライマリ画面とセカンダリ画面の一例を示す説明図である。
【００１０】
（構成）
初めに、図１に示す映像再生装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。ここで、光ディスクＤは、一例として、ＨＤ ＤＶＤであるがこれに限定されるものではない。又、第２のメディアとしてのハードディスクを駆動するハードディスクドライブ部１８を有する。制御部３０は、全体の動作を司るべくデータバスを介して各部に接続されている。
【００１１】
又、図１に示される映像再生装置１０は、録画側を構成するエンコーダ部２１と、再生側を構成するＭＰＥＧデコーダ部２３と、装置本体の動作を制御する制御部３０とを主たる構成要素としている。映像再生装置１０は、入力側のセレクタ部１６と出力側のセレクタ部１７とを有しており、入力側のセレクタ部１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、映像再生装置１０は、エンコーダ部２１と、エンコーダ部２１の出力を受け、データ編集等の所望のデータ処理を行うデータ編集部２０と、データ編集部２０に接続されるハードディスクドライブ部１８と、光ディスクドライブ部１９を有している。更に、映像再生装置１０は、ハードディスクドライブ部１８と、光ディスクドライブ部１９からの信号を受けてデコードするＭＰＥＧデコーダ部２３と、エンコーダ部２１と、バッファ部２２と、ＭＰＥＧデコーダ部２３と、多重化部２８と、分離部２９と、制御部３０と、映像画面に所望の映像を合成するＯＳＤ部３１と、セカンダリ管理部４２と、予約リストや番組表画像を生成する予約録画部４３を有している。これらの各部は、データバスを介して制御部３０に接続されている。更に、セレクタ部１７の出力は、外部の受像機４１に接続されるか、外部装置との通信を行うインターフェース部２７を介して、外部装置に供給される。
【００１２】
更に、映像再生装置１０は、データバスを介して制御部３０に接続され、ユーザの操作やリモコンＲの操作を受ける操作部３２を有している。ここで、リモコンＲは、映像再生装置１０の本体に設けられる操作部３２とほぼ同等の操作を可能とするものであり、ハードディスクドライブ部１８や光ディスクドライブ部１９の記録再生指示や、編集指示、チューナの操作、予約録画の設定等の各種設定が可能である。
【００１３】
（動作）
・基本動作
このような構成の映像再生装置１０において、光ディスクに例を取って、再生処理と記録処理の概要を説明する。すなわち、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１４】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１５】
・記録処理等
次に、このような構成を有する映像再生装置１０の動作を、更に詳細に説明する。初めに、主に記録時の動作について、他の実施形態も含めて詳細に説明する。映像再生装置１０の入力側として、ＬＡＮ等の通信部１１は、外部機器と接続して、例えばモデムＭ等を介しインターネット等の通信路を経由してサーバＳ等と通信を行ったり、コンテンツ情報等をダウンロードしたりする。又、ＢＳ／ＣＳチューナ部１２と地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１６】
又、先の通信部１１は、ＩＥＥＥ１３９４インターフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ部１６により、入力が制御されて、エンコーダ部２１に選択的に供給される。
【００１７】
エンコーダ部２１は、セレクタ部１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１８】
又、ＢＳ／ＣＳチューナ等は、必ずしも内蔵されている必要はなく、データ入力端子を介して外付けされて、受信したデジタル信号をセレクタ部１６を介してエンコーダ部２１や制御部３０に供給することも好適である。
【００１９】
ここで図１に示す映像再生装置１０は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２０】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２１】
ＭＰＥＧデコーダ部２３の出力オーディオ信号は、セレクタ部１７を介して図示しないデジタルアナログ変換器でアナログ変換されてスピーカに供給されるか、インターフェース部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２２】
又、制御部３０及びセカンダリ管理部４２の働きにより、図２に示すように、例えば、ＨＤ ＤＶＤ等の光ディスク上に格納された映像ストリームを再生しながら、画面上の映像に対してリモコンＲ等の操作により指示することで、セカンダリ映像Ｈ２をプライマリ映像Ｈ１と同期させながら表示させることができる。セカンダリ映像Ｈ２とは、例えば、ＨＤ ＤＶＤの規格の一つであり、一例として光ディスク上に格納されたＷｅｂアドレス等に基づくＷｅｂ上のサーバＳ等からダウンロードした映像ストリームである。例えば、光ディスクが映画を格納していれば、映画監督が作品について説明する映像等が記録されていたりする。
【００２３】
この実施形態の映像再生装置１０は、このように総合的な機能を有するものであり、多くのソースに対して光ディスクＤ又はハードディスクドライブ部１８による記録・再生処理を行うものである。次に、この映像再生装置１０の予約録画処理について、図面を用いて詳細に説明する。
【００２４】
＜本発明の一実施形態である映像再生装置のセカンダリ映像の先行ダウンロード処理の一例＞
次に、この映像再生装置１０の特にセカンダリ映像の先行ダウンロード処理等をフローチャートを用いて以下に詳細に説明する。図３は、本発明が実施されていない映像再生装置により再生されるプライマリストリームとセカンダリストリームの関係を示す説明図である。図４は、本発明が実施されていない映像再生装置におけるダウンロード処理の一例を示す説明図。
【００２５】
（概要）
本発明の一実施形態である映像再生装置１０の制御部３０及びセカンダリ管理部４２による表示機能は、例えば、ＨＤ ＤＶＤ等の光ディスク上に格納された映像ストリームを再生しながら、画面上の映像の一部に対してリモコンＲ等のカーソル操作等により指示することで、図２に示すように、セカンダリ映像Ｈ２をプライマリ映像Ｈ１と同期させながら表示させることができる。この機能は、例えば、ＨＤ ＤＶＤの規格の一つであり、一例として光ディスク上に格納されたＷｅｂアドレス等に基づくＷｅｂ上のサーバＳ等からダウンロードしたセカンダリ映像Ｈ２に基づいて行なわれる。光ディスクが映画を格納する場合は、例えば、映画監督が作品について説明する映像等が記録されていたりする。
【００２６】
映像再生装置１０の制御部３０及びセカンダリ管理部４２は、光ディスク上のプライマリ映像Ｈ１のストリーム中のタイムコード情報から、プライマリ映像Ｈ１の現在再生する位置を認識することができる。これにより、制御部３０及びセカンダリ管理部４２は、サーバＳ等からセカンダリ映像Ｈ２の映像ストリームを同期してダウンロードすることができる。
【００２７】
・不具合
このように、双方のプライマリ映像Ｈ１及びセカンダリ映像Ｈ２は、１つの時間軸に基づいて再生されている。ここで、ネットワークストリーミング形式でダウンロード再生を行う場合、全映像データ量よりも少ない量の映像信号を例えばバッファ部２２等に映像再生が途切れないようデータを継続して供給し続ける必要がある。このバッファ部２２にデータがどれだけ充填されているかが重要であり、映像再生中は、常に映像を再生するのに十分な量の映像信号がバッファ部２２にあることが理想的である。
【００２８】
すなわち、本発明が実施されない際のプライマリ映像Ｈ１を光ディスクＤから、セカンダリ映像Ｈ２をネットワークストリーミングから、双方を同期させながら通常再生している場合を考える。プライマリ映像Ｈ１を、ユーザがリモコンＲを用いてある期間早送り（又は早戻し等の特殊再生）し、しばらくした後に通常再生する状況になるときの、セカンダリのストリーミングダウンロードの挙動について述べる。図３及び図４は、本発明が実施されない際のプライマリ映像Ｈ１及びセカンダリ映像Ｈ２を示している。
【００２９】
すなわち、図３及び図４において、ユーザがリモコンＲ等で早送りを時刻ｔ１で開始すると、セカンダリ映像Ｈ２のストリーミングダウンロードは停止される。そして、通常再生が再開されるとき（b）になって初めて、その再生時刻ｔ２からの映像データをネットワークから再びストリーミングダウンロードすることになる。
【００３０】
ここで、図４に示すように、ユーザが通常再生を再開させようとした再生時刻ｔ２から、実際にセカンダリの再生が再開されるまでに、ストリーミングダウンロードのためのバッファ部２２が十分に充填されるまでの時間（c）を要してしまうため、ユーザにセカンダリ映像Ｈ２の再生の遅延を感じさせてしまう。このような不具合の原因は、どの時刻からのセカンダリ映像Ｈ２を取得すればよいかが、早送りの終わった時点にならないと判らないということに由来している。
【００３１】
（フローチャートを用いた動作説明）
本発明の一実施形態である映像再生装置においては、光ディスクからの映像にストリーム映像を合成表示させる場合に早送り等を行なう際、ストリーム映像のストリーミングダウンロードを中断せずに先行して部分的にダウンロードしておくことで、早送り等から再生へと戻る際にストリーム映像を迅速に復帰させるものである。
【００３２】
図５は、本発明の一実施形態に係る映像再生装置により再生されるプライマリストリームとセカンダリストリームの関係を示す説明図である。図６は、同じく先行ダウンロード処理の一例を示す説明図である。図７は、同じくプライマリストリームとセカンダリストリームの関係を示す説明図である。図８は、同じく先行ダウンロード処理の一例を示す説明図である。また、図９は、同じく先行ダウンロード処理の一例を示すフローチャートである。
【００３３】
なお、以下の図９のフローチャートの各ステップは、回路ブロックに置き換えることができ、従って、各フローチャートのステップは、全てブロックに定義しなおすことが可能である。
【００３４】
本発明の一実施形態に係る映像再生装置１０において、初めに、制御部３０はリモコンＲ等からの光ディスクの再生指示の待機状態にある (ステップＳ１１)。そして、制御部３０は、再生指示があれば光ディスクドライブ部１９及びＭＰＥＧデコーダ部２３、分離部２９、音声映像処理部２４等を制御して、光ディスクＤ上の映像ストリーム（プライマリ映像Ｈ１）を再生する(ステップＳ１２)。
【００３５】
更に、制御部３０及びセカンダリ管理部４２は、現在再生中のプライマリ映像Ｈ１に対して、リモコンＲ等からのセカンダリ映像Ｈ２の再生指示信号を受けると(ステップＳ１３)、光ディスクＤの映像ストリームから現在の再生位置を示すタイムコードを検出する(ステップＳ１３)。そして、光ディスクＤの映像ストリーム中から、Ｗｅｂ上の特定のサーバのサイトのＷｅｂアドレスを検出し、このＷｅｂアドレスに従って、通信部１１等を用いてサイトにアクセスし、タイムコードに応じた位置からストリームをダウンロードする(ステップＳ１５)。
【００３６】
そして、制御部３０及びセカンダリ管理部４２は、ダウンロードしたストリームの映像を再生し、ＯＳＤ部３１を用いて光ディスクＤからのストリームの映像と合成して出力することで、図２に示すような画面を実現する(ステップＳ１６)。
【００３７】
そして、制御部３０及びセカンダリ管理部４２は、このような図２に示す画面の状態で、更にリモコンＲ等から早送り（早戻し）等の指示信号があったかを確認する(ステップＳ１７)。制御部３０及びセカンダリ管理部４２は、リモコンＲ等から早送り（早戻し）等の指示信号を検出すると、光ディスクＤのストリームを早送り（早戻し）しながら、再生に戻る場合に再生に使用すると思われるストリームを先行してダウンロードする(ステップＳ１８)。
【００３８】
このとき、制御部３０及びセカンダリ管理部４２は、通常の再生時のようにセカンダリ映像Ｈ２を全部ストリーミングするようにダウンロードするものではない。一例として、図５に示すように、制御部３０及びセカンダリ管理部４２は、４倍速の早送りで光ディスクＤが約１／４（約２５％）のプライマリ映像Ｈ１を再生していれば、これに合わせて約１／４（約２５％）のセカンダリ映像Ｈ２の先行ダウンロード（投機的なダウンロード）を行なうことが好適であるが、この実施形態に限定されるものではない。
【００３９】
このように、制御部３０及びセカンダリ管理部４２は、セカンダリ映像Ｈ２を先行して部分的にダウンロードしておくことで、図６に示すように、早送り等から再生へと戻る際に、例えば、短縮時間（ｃ）だけストリーム映像を迅速に復帰させることができる。
【００４０】
しかしながら、このような実施形態に限定されず、例えば、セカンダリ映像Ｈ２のダウンロードが軽快に行なわれる場合は、図７に後述するように、セカンダリ映像Ｈ２の約７５％以上をダウンロードする等の設定も同様に好適である。
【００４１】
そして、制御部３０及びセカンダリ管理部４２は、早送り等の状態からリモコンＲ等からの再生指示を検出すると、先行してダウンロードしていたストリームでは不足しているストリームを新たにダウンロードし、先行してダウンロードしていたストリームと共にセカンダリ映像Ｈ２を再生する。これと同時に、プライマリ映像Ｈ１のタイムコードが示す進行に応じて、セカンダリ映像Ｈ２のダウンロードを再開する(ステップＳ２０)。そして、ダウンロードしたストリームの映像を再生し、光ディスクからのストリームの映像と合成して出力する(ステップＳ２１)。
【００４２】
なお、早送り（早戻し）中は、先行ダウンロードしている一部のセカンダリ映像Ｈ２を早送り（早戻し）中のコマ落としされたプライマリ映像Ｈ１と共に合成表示して、両方の映像を同期させて、両方とも早送り（早戻し）中の映像として表示することも好適である。また、早送り（早戻し）中は、コマ落としされたプライマリ映像Ｈ１だけを表示して、セカンダリ映像Ｈ２を表示させないことも好適である。
【００４３】
更に、他の実施形態として、制御部３０及びセカンダリ管理部４２は、図７に示すように、セカンダリ映像Ｈ２をプライマリ映像Ｈ１の進行程度よりも所定時間（α秒）だけ進めた状態で常にダウンロードしておくことが好適である。こうすることで、例えば、再生時刻ｔ２で早送り等から再生に戻る場合、所定時間（α秒）だけ進めた状態での、先行ダウンロードされたセカンダリ映像Ｈ２がバッファ部２２に蓄積されている。従って、図８に示すように、所定時間（α秒）だけ先の分までダウンロード片群がバッファ部２２に蓄積されているため、例えば、図７に示すように不足分Ｒしか不足しておらず、制御部３０及びセカンダリ管理部４２は、非常に迅速なセカンダリ映像Ｈ２の再生の復帰が可能となる。
【００４４】
なお、ステップＳ１９で早送り（早戻し）を行なっている間に、まだ再生指示がない場合は、先行ダウンロードによるセカンダリ映像Ｈ２の映像データがバッファ部２２に蓄積され続けるが、制御部３０及びセカンダリ管理部４２は、使用する可能性がなくなった映像データを適宜削除していくことが好適である(ステップＳ２２)。しかしながら、本発明に係る実施形態には必ずしも削除する処理は必要はない。
【００４５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４６】
【図１】本発明の一実施形態に係る映像再生装置の構成の一例を示すブロック図。
【図２】本発明の一実施形態に係る映像再生装置により表示されるプライマリ画面とセカンダリ画面の一例を示す説明図。
【図３】本発明が実施されていない映像再生装置により再生されるプライマリストリームとセカンダリストリームの関係を示す説明図。
【図４】本発明が実施されていない映像再生装置におけるダウンロード処理の一例を示す説明図。
【図５】本発明の一実施形態に係る映像再生装置により再生されるプライマリストリームとセカンダリストリームの関係を示す説明図。
【図６】本発明の一実施形態に係る映像再生装置における先行ダウンロード処理の一例を示す説明図。
【図７】本発明の一実施形態に係る映像再生装置により再生されるプライマリストリームとセカンダリストリームの関係を示す説明図。
【図８】本発明の一実施形態に係る映像再生装置における先行ダウンロード処理の一例を示す説明図。
【図９】本発明の一実施形態に係る映像再生装置における先行ダウンロード処理の一例を示すフローチャート。
【符号の説明】
【００４７】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３１…ＯＳＤ部、３２…操作部、３３…表示部、Ｒ…リモコン、４２…セカンダリ管理部、４３…予約録画部。
【図１】
2008278237.tif 000003
【図２】
2008278237.tif 000004
【図３】
2008278237.tif 000005
【図４】
2008278237.tif 000006
【図５】
2008278237.tif 000007
【図６】
2008278237.tif 000008
【図７】
2008278237.tif 000009
【図８】
2008278237.tif 000010
【図９】
2008278237.tif 000011